(57)【要約】【課題】  Ｃ折りが可能なフィニッシャを使用してＣ折りを行う場合、出力用紙や原稿に対応して、ユーザが回転角度や拡大縮小率の指定を行う必要あり、設定内容を誤るとユーザの意図する出力を得られないという問題があった。本発明は、上記の課題に対し、ユーザが詳細な設定を行うことなく、ユーザの意図するＣ折りを実現するための印刷装置を提供することを目的とする。【解決手段】  原稿サイズと原稿の向きを判別し、出力用紙に適合するよう適切な角度で画像を回転させる。この際、出力結果における入力原稿上側の位置が、どの出力パターンにおいても同じ位置になるように回転角度を設定する。また、原稿サイズと出力用紙サイズが一致しない場合、適切な倍率で拡大・縮小を行う。【選択図】  図３４
2008193330.tif 000002
【特許請求の範囲】
【請求項１】
シート上に形成する画像を入力可能な画像読取装置と画像形成されたシートに対するＣ折り動作を実行可能なＣ折り手段にＣ折りすべきシートを供給可能な画像形成装置を具備する画像処理装置であって、
画像読取装置により入力された画像に対応してＣ折りすべきシートに形成する画像に対する画像処理を変更し、Ｃ折りすべきシートに対する画像形成動作を変更することを特徴とする画像処理装置。
【請求項２】
シート上に形成する画像を入力可能な画像読取装置と画像形成されたシートに対するＣ折り動作を実行可能なＣ折り手段にＣ折りすべきシートを供給可能な画像形成装置を具備する画像処理装置であって、
画像読取装置により入力された画像にかかわらず、同じ出力を得られるよう、入力画像に対する画像処理やＣ折りすべきシートに対する画像形成動作を設定することを特徴とする請求項１記載の画像処理装置。
【請求項３】
シート上に形成する画像を入力可能な画像読取装置と画像形成されたシートに対するＣ折り動作を実行可能なＣ折り手段にＣ折りすべきシートを供給可能な画像形成装置を具備する画像処理装置であって、
Ｃ折りすべきシートに対して、画像読取装置により入力された画像を形成する面を選択することで、Ｃ折り動作を実行した結果得られる出力の形態を選択可能とすることを特徴とする請求項１および請求項２記載の画像処理装置。
【請求項４】
シート上に形成する画像を入力可能な画像読取装置と画像形成されたシートに対するＣ折り動作を実行可能なＣ折り手段にＣ折りすべきシートを供給可能な画像形成装置を具備する画像処理装置であって、
画像読取装置により入力された画像の大きさと、Ｃ折りすべきシートの大きさが異なる場合、入力された画像に対しＣ折りすべきシートに適合するよう画像処理を行うことを特徴とする請求項１、請求項２および請求項３記載の画像処理装置。
【発明の詳細な説明】
【技術分野】
【０００１】
本発明は、さまざまな入力原稿に応じたフィニッシング機能に対する画像形成方式に関するものである。
【背景技術】
【０００２】
フィニッシング機能の一つとしてＣ折りという機能が提供されている。Ｃ折りとは図12（a）に示すような短辺Ｘ、長辺Ｙのサイズのプリント用紙に対して、長辺Ｙを３等分するラインの一方（1201）に沿って谷折をし（図12（b））、さらに長辺Ｙを３等分するもう一方のライン（1202）に沿って谷折を行うことで、図12（c）に示す出力結果となる折り方である。この機能により、A4サイズの用紙を1/3の大きさにして出力することができ、長形３号や洋形４号などの封筒に封入することができるようになる。
【０００３】
Ｃ折りについては、文章中の重要箇所やスタンプの位置により、折り方を変更するという技術が知られている（特許文献１参照）。
【特許文献１】特開2005-219868号公報
【発明の開示】
【発明が解決しようとする課題】
【０００４】
従来のＣ折りが可能なフィニッシャを使用してＣ折りを行う場合、Ｃ折りが可能な用紙と原稿のサイズや向きが異なると、コピーの設定としてユーザが原稿の回転角度や拡大縮小率の指定を行う必要があった。このため、設定内容を誤るとユーザの意図する出力を得られないという問題があった。
【０００５】
本発明は、上記課題を鑑みてなされたものであり、ユーザが詳細な設定を行うことなく、ユーザの意図するＣ折りを実現するための印刷装置を提供可能にする。さまざまな原稿サイズ、原稿配置を想定し、どのような場合においても常に同じ出力が得られるようにする仕組みを提供可能とする。
【課題を解決するための手段】
【０００６】
前述した課題を解決するために、本発明は、シート上に形成する画像を入力可能な画像読取装置と画像形成されたシートに対するＣ折り動作を実行可能なＣ折り手段にＣ折りすべきシートを供給可能な画像形成装置を具備する画像処理装置であって、画像読取装置により入力された画像に対応してＣ折りすべきシートに形成する画像に対する画像処理を変更し、Ｃ折りすべきシートに対する画像形成動作を変更することを特徴とする。
【０００７】
また、本発明は、シート上に形成する画像を入力可能な画像読取装置と画像形成されたシートに対するＣ折り動作を実行可能なＣ折り手段にＣ折りすべきシートを供給可能な画像形成装置を具備する画像処理装置であって、画像読取装置により入力された画像にかかわらず、同じ出力を得られるよう、入力画像に対する画像処理やＣ折りすべきシートに対する画像形成動作を設定することを特徴とする。
【０００８】
また、本発明は、シート上に形成する画像を入力可能な画像読取装置と画像形成されたシートに対するＣ折り動作を実行可能なＣ折り手段にＣ折りすべきシートを供給可能な画像形成装置を具備する画像処理装置であって、Ｃ折りすべきシートに対して、画像読取装置により入力された画像を形成する面を選択することで、Ｃ折り動作を実行した結果得られる出力の形態を選択可能とすることを特徴とする。
【０００９】
また、本発明は、シート上に形成する画像を入力可能な画像読取装置と画像形成されたシートに対するＣ折り動作を実行可能なＣ折り手段にＣ折りすべきシートを供給可能な画像形成装置を具備する画像処理装置であって、画像読取装置により入力された画像の大きさと、Ｃ折りすべきシートの大きさが異なる場合、入力された画像に対しＣ折りすべきシートに適合するよう画像処理を行うことを特徴とする。
【発明の効果】
【００１０】
本発明によって、Ｃ折りが選択され、原稿の回転・拡大縮小を行う必要がある場合でも、自動的にそれらの設定が行われ、ユーザの操作性を向上させ、常に同じ出力結果を得ることができるようになる。
【発明を実施するための最良の形態】
【００１１】
（実施例１）
以下に、本発明の実施の形態について図面を参照しながら説明する。
【００１２】
図１は本発明の実施の形態に係る画像形成装置の構成を示すブロック図である。本実施の形態では、画像形成装置として複数の機能を有する画像入出力システム１００を例に説明する。
【００１３】
尚、換言すると、本形態の画像形成装置は、カラープリント可能な画像形成装置でも、モノクロプリント可能な画像形成装置でも、本形態で述べる各種制御を実行可能であるならば如何なる構成でも良い。
【００１４】
画像入出力システム１００は、図１に示すように、リーダ部２００と、プリンタ部３００と、制御装置１１０と、操作部１５０とを備える。リーダ部２００は、原稿を給紙するための原稿給紙ユニット２５０と、原稿給紙ユニット２５０から給紙された原稿上の画像を読み取るためのスキャナユニット２１０とを有し、スキャナユニット２１０により読み取られた画像データは、制御装置１１０に入力される。
【００１５】
プリンタ部３００は、給紙ユニット３６０と、画像形成ユニット３１０と、排紙ユニット３７０とを有する。給紙ユニット３６０は、異なるサイズの記録紙をそれぞれ収容する複数のカセットを搭載し、各カセットから記録紙を給紙する。画像形成ユニット３１０は、電子写真方式による画像形成プロセスを有するユニットである。この画像形成ユニット３１０においては、ＬＡＮ１９０に接続されたＰＣ（ホストコンピュータ）１９１，１９２、またはスキャナユニット２１０から制御装置１１０を介して入力された画像データに基づき給紙ユニット３６０から給紙された記録紙上に画像形成を行う。排紙ユニット３７０は、画像形成ユニット３２０により画像形成された記録紙をソート、ステイプルなどの処理を施して排紙する。
【００１６】
制御装置１１０は、リーダ部２００およびプリンタ部３００と電気的に接続されるとともに、ＬＡＮ１９０を介してＰＣ１９１，１９２、デジタル複写機１９３と接続されている。制御装置１１０は、リーダ部２００により原稿の画像データを読み取り、この画像データをプリンタ部３００に出力して記録紙上に画像を形成するように制御することによって、コピー機能を実現する。また、リーダ部２００で読み取られた画像データをコードデータに変換し、ＬＡＮ１９０を介してＰＣ１９１，１９２に送信するように制御することによって、スキャナ機能を実現する。さらに、各ＰＣ１９１，１９２からＬＡＮ１９０を介して受信したコードデータを画像データに変換し、この画像データをプリンタ部３００に出力するように制御することによって、プリンタ機能を実現する。
【００１７】
操作部１５０は、制御装置１１０に対する指示入力などを行うための各種キーおよびユーザとのインタフェース画面を表示するための液晶表示パネルを有し、各種キーに操作に応じて対応する信号を発生して制御装置１１０へ出力する。
【００１８】
次に、リーダ部２００およびプリンタ部３００のハードウェア構成について図２を参照しながら説明する。図２は図１の画像形成装置のリーダ部２００およびプリンタ部３００のハードウェア構成を模式的に示す図である。
【００１９】
リーダ部２００とプリンタ部３００とは、図２に示すように、一体的に構成されている。また、プリンタ部３００は、デッキユニット３４１や、排紙ユニットである、ＣＺ折りユニット８００、フィニッシャユニット９００が接続されている。
【００２０】
以下、リーダ部、および、画像形成ユニット、ＣＺ折りユニット、フィニッシャユニットについてそれぞれ説明する。
【００２１】
＜リーダー装置＞
リーダ部２００は、原稿給紙ユニット２５０を搭載し、原稿給紙ユニット２５０は、原稿を先頭から順に１枚ずつプラテンガラス２１１上へ給送し、各原稿の読取動作が終了する毎にその原稿をプラテンガラス２１１から排出トレイ２１９に排出する。リーダ部２００は、原稿がプラテンガラス２１１上に給送されると、ランプ２１２を点灯し、スキャナユニット２１３の移動を開始する。このスキャナユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、ＣＣＤという）２１８に導かれ、原稿上の画像がＣＣＤ２１８の撮像面上に結像される。ＣＣＤ２１８は、撮像面に結像された画像を電気信号に変換し、この電気信号は所定の処理施された後に制御装置１１０に入力される。
【００２２】
＜画像形成ユニット＞
プリンタ部３００は、レーザドライバ３２１を有し、レーザドライバ３２１は、制御装置１１０から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２，３１３，３１４、手差し給紙段３１５、またはデッキ３４１から記録紙が搬送路３３１を介して感光ドラム３２３と転写部３２５との間に給紙され、感光ドラム３２３上のトナー像は転写部３２５により給紙された記録紙上に転写される。
【００２３】
トナー像が転写された記録紙は搬送ベルト３２６を介して定着部３２７に送られ、定着部３２７は、記録紙を熱圧し、記録紙上のトナー像を記録紙上に定着させる。この定着部３２７を通過した記録紙は、搬送路３３５を経て排紙口３３４からＣＺ折りユニット８００へ送られる。なお、本図では記録紙の排紙として、ＣＺ折りユニット８００とフィニッシャユニット９００を経由する場合について示しているが、ＣＺ折りユニット８００とフィニッシャユニット９００を接続していない場合には、排紙口３３４の外側に排紙ビンを装着し、その排紙ビンに記録紙を排出することが可能である。また、画像形成面を反転して記録紙をＣＺ折りユニットに送出する場合には、記録紙がフラッパ３２９により搬送路３３６を経て搬送路３３８に一旦導かれた後に、搬送路３３７を経て排紙口３３４からＣＺ折りユニットに送出される。さらに、両面記録モードが設定されている場合には、定着部３２７を通過した記録紙が搬送路３３６に導かれ、そしてフラッパ３２９により一旦搬送路３３３へ導かれた後に、この搬送路３３３から搬送路３３８を経て搬送路３３２に導かれる。搬送路３３２に導かれた記録紙は、上述したタイミングで感光ドラム３２３と転写部３２５との間に再給紙され、この記録紙の裏面にトナー像が転写される。
【００２４】
＜ＣＺ折りユニット＞
ＣＺ折りユニットは、インサーター処理部８１０とＣＺ折り処理部８２０およびＣ折り排紙口８０４から構成されている。インサータ処理部８１０では、記録済みの用紙を給紙し、出力物に挿入することが可能である。また、ＣＺ折り処理部８２０では、インサータ処理部から給紙されたシート、および、画像形成ユニットから送られてくるシートに対し、以下の3種類の処理を行うことができる。
【００２５】
１．スルーパスモード
２．Ｃ折りモード
３．Ｚ折りモード
インサータ処理部８１０では、インサータ給紙段８１１からシートを給紙し、搬送路８１２へ導かれる。フラッパ８１３により、搬送路８１５、８１９を経て、画像形成装置からの搬送路と同じ８０２へ導かれる。また、このインサータ処理部８１０では、インサータ給紙段８１１においたシートを途中で反転（裏表を逆に）させることができる。反転させる場合には、インサータ給紙段８１１からシートを給紙し、搬送路８１２を経て、フラッパ８１３により、搬送路８１４、８１６へ一旦導かれた後に、搬送路８１８、８１９を経て、画像形成装置からの搬送路と同じ８０２へ導かれる。
【００２６】
ＣＺ折り処理部のそれぞれのモードについて図８、図９、図１０、図１１、図１２、図１３を用いて説明する。図８、９、１０、１１はＣＺ折り処理部８２０の詳細図であり、図１２はＣ折りモードにおいてシート８４０が折られる手順を示し、図１３は同様にＺ折りモードにおいてシート８４０が折られる手順を示している。
【００２７】
第1のスルーパスモードは、Ｃ折りやＺ折りの処理をせずそのまま後続のユニットに送る処理であり、搬送路８０２を経たシートは、８０３を経て、フィニッシャユニット９００へ送られる。
【００２８】
第２のＣ折りモードでは、搬送路８０２に入ってきたシート８４０を、Ｃ折りの処理を行い、Ｃ折り排紙口８０４へ排紙する。Ｃ折りの詳細について以下に説明する。８０２を経たシート８４０は、フラッパ８２１により搬送路８２２へ導かれる。シート８４０の先端がストッパ８２３に接したところで、シート８４０に形成されるループ８４１が折りローラ８２４、８２５の間のニップにくわえ込まれ（図８）、図１２（ａ）に示すＣ折りが行われる前のシート８４０（用紙サイズＸＹ）における１２０１で示す部分が折られ、図１２（ｂ）のように１回折られた形となる。この際、ストッパ８２３は、シート８４０の先端からループ８４１までの長さが、シート８４０のＹ方向２／３になるように位置している。このようにして１回折られたシート８４０は８２６へと導かれ、ストッパ８２７に接したところで、シート８４０に形成されるループ８４２が折りローラ８２５、８２８の間のニップにくわえ込まれ（図９）、図１２（ｂ）のシート８４０が再び折られ、図１２（ｃ）のように２回折られた形となる。この際、ストッパ８２７は、ローラ８２４、８２５で折った際の折り目からループ８４２までの長さが、シート８４０の１／３になるように位置している。このようにして、２回折られたシート８４０は、フラッパ８２９により搬送路８３１を経て、Ｃ折り排紙口８０４へ排紙される。
【００２９】
第３のＺ折りモードでは、搬送路８０２に入ってきたシートを、Ｚ折りの処理を行い、後続のユニットへ送る。以下Ｚ折りの詳細について説明する。８０２を経たシートは、フラッパ８２１により搬送路８２２へ導かれる。シート８５０の先端がストッパ８２３に接したところで、シート８５０に形成されるループ８５１が折りローラ８２４、８２５の間のニップにくわえ込まれ（図１０）、図１３（ａ）に示すＺ折りが行われる前のシート８５０（用紙サイズＸＹ）における１３０１で示す部分が折られ、図１３（ｂ）のように１回折られた形となる。この際、ストッパ８２３は、シート８５０の先端からループ８５１までの長さが、シート８５０の１／４になるように位置している。このようにして１回折られたシート８５０は８２６へと導かれ、ストッパ８２７に接したところで、シート８５０に形成されるループ８５２が折りローラ８２５、８２８の間のニップにくわえ込まれ（図１１）、図１３（ｂ）のシート８５０が１３０２で示す部分で再び折られ、図１３（ｃ）のように２回折られた形となる。この際、ストッパ８２７は、ローラ８２４、８２５で折った際の折り目からループ８５２までの長さが、シート８５０の１／４になるように位置している。このようにして、２回折られたシート８５０は、フラッパ８２９により搬送路８３２へ導かれ、搬送路８０３を経て、フィニッシャユニット９００へ送られる。
【００３０】
＜フィニッシャユニット＞
フィニッシャユニット９００は、サンプルトレイ９０７、スタックトレイ９１１、９１２、ブックレットトレイ９２１があり、ステイプルや、ソート、シフト、製本などそれぞれ対応する処理を行って排紙することができる。
【００３１】
サンプルトレイ９０７に出力する場合は、以下のような動作を行う。搬送路９０１に入ってきたシートは、フラッパ９０２、９０３によって、搬送路９０４を経て、サンプルトレイ９０７へ排紙される。
【００３２】
スタックトレイ９１１、９１２に出力する場合は、以下のような動作を行う。搬送路９０１に入ってきたシートは、フラッパ９０２、９０３によって搬送路９０５へ導かれ、スタックトレイ９１１へ排紙される。また、スタックトレイ９１１、９１２は上下に可動であり、スタックトレイ９１２に排紙する場合には、スタックトレイ９１２が上に移動する。スタックトレイ９１１、９１２に排紙する場合には、中間トレイ９０８を経由して、ソート処理やシフト処理、また、ステイプラ９０９によってステイプル処理等を行うことも可能である。
【００３３】
ブックレットトレイ９２１へ出力する場合は、以下のような動作を行う。搬送路９０１に入ってきたシートは、フラッパ９０２、９０３によって搬送路９０６へ導かれ、９２５に溜められる。中綴じをする場合途中の９２２の位置でステイプラ９２３により、中綴じを行い、中綴じしたシート束を９２５まで移動させる。ここには、突き出し部材９２６とローラ９２７，９２８が設けられており、９２５にあるシート束に向けて、突き出し部材９２６を突き出すことにより、シート束はローラ９２７、９２８間に押し出され、ローラ９２７、９２８により折りたたまれる。そして、搬送路９２９を経て、ブックレットトレイ９２１へ排紙される。
【００３４】
制御装置１１０の機能を、図３に示すブロック図をもとに説明する。
【００３５】
メインコントローラ１１１は，主にＣＰＵ１１２と，バスコントローラ１１３，各種Ｉ／Ｆコントローラ回路とから構成される。
【００３６】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３７】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００３８】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３９】
画像処理部１３５は、ＤＲＡＭ１１６に蓄積されたラスターイメージデータに対して、画像回転、画像変倍、色空間変換、二値化の処理をそれぞれ行う。ＳＲＡＭ１３６は画像処理部１３５の一時的なワーク領域として使用される。画像処理部１３５はＩ／Ｆ１３７を介してメインコントローラ１１１と接続され、ＤＲＡＭ１１６との間のデータの転送は、バスコントローラ１１３によって制御されＤＭＡ転送される。
【００４０】
Ｎｅｔｗｏｒｋ  Ｃｏｎｔｏｒｌｌｅｒ１２１はＩ／Ｆ１２２によってメインコントローラ１１１と接続され、コネクタ１２２によって外部ネットワークと接続される。
【００４１】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００４２】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００４３】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００４４】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００４５】
リアルタイムクロックモジュール１３３は、機器内で管理する日付と時刻を更新／保存するためのもので、バックアップ電池１３４によってバックアップされている。
【００４６】
Ｅ−ＩＤＥインタフェース１６１は、外部記憶装置を接続するためのものである。本実施例においては、このＩ／Ｆを介してハードディスクドライブ１６０を接続し、ハードディスク１６２へ画像データを記憶させたり、ハードディスク１６２から画像データを読み込む動作を行う。
【００４７】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００４８】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有し、さらに、リーダー部２００から送られたビデオ制御信号をもとに生成した制御信号を、スキャナバス１４１に出力する機能も有する。
【００４９】
スキャナバス１４１からＤＲＡＭ１１６へのデータ転送は、バスコントローラ１１３によって制御される。
【００５０】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００５１】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００５２】
図４等を用いて、操作部１５０について説明する。
【００５３】
操作部１５０は、ハードキーによるユーザ操作を受付け可能なキー入力部４０２、ソフトキー（表示キー）によるユーザ操作を受付可能な表示ユニットの一例としてのタッチパネル部４０１を、有する。
【００５４】
図５に示すように、キー入力部４０２は、操作部電源スイッチ５０１を具備する。該スイッチ５０１のユーザ操作に応答し、制御部１１０は、スタンバイモード（通常動作状態）とスリープモード（ネットワーク印刷やファクシミリなどに備えて割り込み待ち状態でプログラムを停止して、消費電力を抑えている状態）を選択的に切換るよう制御する。制御部１１０は、該スイッチ５０１のユーザ操作を、システム全体の電源供給を行う主電源スイッチ（不図示）がＯＮ状態にて、受付可能に制御する。
【００５５】
スタートキー５０３は、処理対象となるジョブのコピー動作や送信動作等、ユーザにより指示された種類のジョブ処理を印刷装置に開始させる指示をユーザから受付可能にする為のキーである。ストップキー５０２は、受付けたジョブの処理を印刷装置に中断させる指示をユーザから受付可能にする為のキーである。テンキー５０６は、各種設定の置数の設定をユーザにより実行可能にする為のキーである。クリアキー５０７は、キー５０６を介してユーザにより設定された置数等の各種パラメータを解除するためのキーである。リセットキー５０４は、ユーザにより処理対象のジョブに対して設定された各種設定を全て無効にし、且つ、設定値をデフォルト状態に戻す指示をユーザから受付る為のキーである。ユーザモードキー５０５は、ユーザごとのシステム設定画面に移行するためのキーである。
【００５６】
図６に示す表示部４０１上のコピータブ６０１がユーザにより押下された場合、制御部１１０は、本印刷装置が具備するコピー機能の操作画面を表示部４０１に表示させる。送信タブ６０２がユーザにより押下された場合、制御部１１０は、本印刷装置が具備するファックスやＥ−ｍａｉｌ送信などデータ送信（Ｓｅｎｄ）機能の操作画面を表示部４０１に表示させる。ボックスタブ６０３がユーザにより押下された場合、制御部１１０は、本印刷装置が具備するボックス機能の操作画面を表示部４０１に表示させる。
【００５７】
尚、ボックス機能とは、ＨＤＤ１６２に仮想的に予め設けているユーザ毎に区別して利用可能な複数個のデータ記憶ボックス（以下、ボックスと呼ぶ）を用いた機能である。当該機能にて、制御部１１０は、例えば、複数のボックスのうちのユーザが所望のボックスを該ユーザによりユーザインタフェースユニットを介して選択可能にし、所望の操作をユーザから受付可能に制御する。例えば、制御部１１０は、操作部１５０を介して入力されたユーザからの指示に応答し、該ユーザにより選択されたボックスに対して、本印刷装置のスキャナ２００から受付けたジョブの文書データを記憶可能にＨＤＤ１６２を制御する。又、外部Ｉ／Ｆ部１２２を介し受付た外部装置（例えばホストコンピュータ１９１や１９２等）からのジョブの文章データ等も、該外部装置のユーザインタフェース部を介して指定された該外部装置のユーザ指示に従い、該ユーザが指定したボックスに、記憶可能にする。又、制御部１１０は、ボックスに記憶されたジョブのデータを、操作部１５０からのユーザ指示に従い、該ユーザが所望の出力形態で、例えば、プリンタ部２００により印刷させたり、該ユーザの所望の外部装置に送信可能に外部Ｉ／Ｆ部１２２を制御する。
【００５８】
このよう各種のボックス操作をユーザにより実行可能にすべく、制御部１１０は、該ボックスタブ６０３のユーザ押下に応答し、表示部４０１にボックス機能の操作画面を表示可能に制御する。又、制御部１１０は、図６の表示部４０１の拡張タブ６０４がユーザにより押下された場合、スキャナ設定など拡張機能を設定するため画面を表示部４０１に表示させる。システムモニタキー６１７がユーザ押下された場合、ＭＦＰの状態や状況をユーザに通知する為の表示画面を表示部４０１に表示させる。
【００５９】
両面キー６１４がユーザにより押下された場合、制御部１１０は、印刷対象となるジョブのプリント処理にて片面印刷か両面印刷のどちらを実行させるかを該ユーザにより設定可能にする画面を表示部４０１に表示させる。又、用紙選択キー６１５のユーザ押下に応答し、制御部１１０は、印刷対象のジョブの印刷処理に要する給紙部やシートサイズやシートタイプ（メディアタイプ）を該ユーザにより設定可能にする画面を表示部４０１に表示させる。キー６１２のユーザ押下に応答し、制御部１１０は、文字モードや写真モードなど原稿画像に適した画像処理モードを該ユーザにより選択可能にする為の画面を表示部４０１に表示させる。又、濃度設定キー６１１をユーザ操作することで、印刷対象となるジョブの出力画像の濃淡を調整可能にする。
【００６０】
又、図６を参照し、制御部１１０は、表示部４０１のステータス表示欄６０６に、スタンバイ状態、ウォームアップ中、プリント中、ジャム、エラー等、本印刷装置にて現在発生中のイベントの動作状態をユーザに確認させる為の表示を実行させる。又、制御部１１０は、処理対象となるジョブの印刷倍率をユーザに確認させる為の情報を、表示欄６０７に、表示させる。又、処理対象となるジョブのシートサイズや給紙モードをユーザに確認させる為の情報を、表示欄６１６に、表示させる。又、処理対象となるジョブの印刷部数をユーザに確認させる為の情報や、プリント動作中にて何枚目を印刷中かをユーザに確認させる為の情報を、表示欄６１０に、表示させる。このように、制御部１１０は、ユーザに通知すべき各種情報を表示部４０１に表示させる。
【００６１】
更に、制御部１１０は、割り込みキー６１３がユーザにより押下された場合、本印刷装置により印刷中のジョブの印刷を停止させ、該ユーザのジョブの印刷を実行可能にする。応用モードキー６１８が押下された場合、ページ連写、表紙・合紙設定、縮小レイアウト、画像移動、製本など様々な画像処理やレイアウトなどの設定を行う画面を表示部４０１に表示させる。
【００６２】
図７は仕上げキー６０９が押下された場合に表示部４０１に表示される画面である。この画面ではステイプル、折り、シフトなどのシート処理を設定することができる。７０１〜７０５、７０７は押下しキーの色を変化させることによって選択した状態となる。この状態でＯＫキー７０９を押下することにより、シート処理のそれぞれ選択した設定ができる。ソートキー７０１は各部毎にページ順にそろえる設定であり、グループキー７０２はページ毎にまとめる設定である。ステイプルソートキー７０３は、ステイプル処理の設定である。７０１〜７０３の設定はそれぞれ排他になっており同時に設定することはできない。また、Ｚ折りを設定するＺ折りキー７０５とＣ折りを設定するＣ折りキーも排他となっている。さらにステイプル処理とＣ折りのように組み合わせ不可能な場合、ステイプルキー７０３を選択した時にはＣ折りキー７０７の色が薄くなり選択できない状態になる。先にＣ折りキー７０７を選択した時にはステイプルキー７０３が選択できない状態になる。このように設定の組み合わせが不可能な場合にはキーが選択できない状態になる。
【００６３】
シフトキー７０４は、束単位でシフトを行う設定であり、７０８に数値を入力することにより、指定した部数毎にシフトを行うことができる。
【００６４】
排紙面指定キー７１０を押下すると、フェースアップ排紙、フェースダウン排紙を指定できる画面が表示部４０１に表示される。また、折り位置の調整キー７１１を押下すると、Ｚ折りやＣ折りを行う際の折り位置のパラメータが調整できる画面が表示部４０１に表示される。
【００６５】
＜用紙向きの説明＞
図14を用いて、用紙向きについての定義を行う。
【００６６】
図14（a）は、A4サイズの用紙（297mm×210mm）を縦向きに給紙カセットにセットした場合の図であり、この向きの用紙にはＣ折りを行うことはできない。
【００６７】
図14（b）は、A4サイズの用紙（210mm×297mm）を横向きに給紙カセットにセットした場合の図であり、この向きの用紙に対しては、本発明で述べるフィニッシャでＣ折りが可能である。
【００６８】
図14（c）は、A3サイズの用紙（420mm×297mm）の縦向きを表す図であるが、本発明で述べる給紙カセットでは、この向きの用紙を扱うことはできない。
【００６９】
図14（d）は、A3サイズの用紙（297mm×420mm）の横向きに給紙カセットにセットした場合の図であり、この向きの用紙に対しては、本発明で述べるフィニッシャでＣ折りが可能である。
【００７０】
図14（e）は、LTRサイズの用紙（279mm×216mm）を縦向きに給紙カセットにセットした場合の図であり、この向きの用紙にはＣ折りを行うことはできない。
【００７１】
図14（f）は、LTRサイズの用紙（216mm×279mm）を横向きに給紙カセットにセットした場合の図であり、この向きの用紙に対しては、本発明で述べるフィニッシャでＣ折りが可能である。
【００７２】
図14（g）は、LGLサイズの用紙（356mm×216mm）の縦向きを表す図であるが、本発明で述べる給紙カセットでは、この向きの用紙を扱うことはできない。
【００７３】
図14（h）は、LGLサイズの用紙（216mm×356mm）の横向きに給紙カセットにセットした場合の図であり、この向きの用紙に対しては、本発明で述べるフィニッシャでＣ折りが可能である。
【００７４】
＜原稿レイアウトの説明＞
図15を用いて、原稿のレイアウトについての定義を行う。
【００７５】
図15（a）は、A4縦の原稿である。原稿の縦の長辺を三等分したとき、対応する原稿の上から1/3の部分を原稿上部と呼び、1501の部分がこれに該当する。同様に、原稿の中心1/3の部分を原稿中央と呼び、1502の部分が該当する。原稿の下から1/3の部分は原稿下部と呼び、1503の部分が該当する。
【００７６】
A4以外のサイズの縦向き原稿についても、同様に縦の長辺の長さに対応して三等分した領域を上からそれぞれ原稿上部、原稿中央、原稿下部と呼ぶ。
【００７７】
図15（b）は、A4横の原稿である。原稿の横の長辺を三等分したとき、対応する原稿の左から1/3の部分を原稿左部と呼び、1504の部分がこれに該当する。同様に、原稿の中心1/3の部分を原稿中央と呼び、1505の部分が該当する。原稿の右から1/3の部分は原稿右部と呼び、1506の部分が該当する。
【００７８】
A4以外のサイズの横向き原稿についても、同様に横の長辺の長さに対応して三等分した領域を左からそれぞれ原稿左部、原稿中央、原稿右部と呼ぶ。
【００７９】
＜印刷面の説明＞
図16を用いて、印刷面についての定義を行う。
【００８０】
図16（a）は、フィニッシャにより出力用紙が二つに折られた状態を示しており、折り部分が山折となる面（1601）に対して画像データが印字されている。このように印字が行われるときの印字面を外側と呼び、折りの外側に印字が行われると呼ぶ。
【００８１】
図16（b）は、フィニッシャにより出力用紙が二つに折られた状態を示しており、折り部分が谷折となる面（1602）に対して画像データが印字されている。このように印字が行われるときの印字面を内側と呼び、折りの内側に印字が行われると呼ぶ。
【００８２】
＜折り面の説明＞
図17を用いて、折り面について定義を行う。
【００８３】
図17（a）は、フィニッシャにより出力用紙が三つに折られて出力された状態を示している。ここで、最も上にある面（1701）は三つ折りを開くとき最初に開く面であり、表紙となる面である。よって、この面を三つ折りの表面と呼ぶ。
【００８４】
図17（b）は、三つ折りの表紙を開いた状態を示している。この状態で最も上にある折り面（1702）は、三つ折りにされたとき表紙に挟まれる面であり、この面を三つ折りの中面と呼ぶ。
【００８５】
図17（c）は、三つ折りを開いた状態を示しており、表面と中面に挟まれた部分（1703）は三つ折り時に裏表紙となる折り面である。よって、この面を三つ折りの裏面と呼ぶ。
【００８６】
＜A4縦の原稿、A4横の記録紙に対するＣ折りについての説明＞
図18〜図21を用いて、A4縦の原稿の、A4横の記録紙に対するＣ折り動作について説明する。Ｃ折りの指定方法については図6／図7を用いて説明したとおりである。
【００８７】
図18、図19は、従来の画像形成装置を用いて、A4縦の原稿に対して、A4横の記録紙にＣ折り指定で出力した結果を表している。同図で示すように、従来の画像形成装置は基準点に合わせて原稿の画像データを記録紙へ印字を行う。このため、リーダー装置により読み取られたA4縦向きの画像データは、そのままの向きで画像形成ユニットへ送られ、画像データと記録紙の右上を基準点として記録紙へ印字される。印字された記録紙は、ＣＺ折りユニットにおいてＣ折りモードとして処理が施され、出力される。この際、排紙面指定によりフェースアップ排紙指定で出力することにより印字面はＣ折りの内側（図18（b））、フェースダウン排紙指定で出力することにより印字面はＣ折りの外側（図19（b））となる。これら設定の結果、内側に印字する場合のＣ折り出力は、図18（c, d, e）のように原稿の上部と中央が記録紙の中面と裏面に縦向きで印字され、原稿の下部は印字されないものとなる。また、外側に印字した場合の出力は、図19（c, d, e）のように原稿の上部と中央が記録紙の表面と裏面に縦向きで印字され、原稿の下部は印字されないものとなる。
【００８８】
一方、図20、図21は、自動レイアウトが可能な画像形成装置を用いてＣ折り指定で出力した結果を示している。同図が示すように、自動レイアウトをサポートしている場合には、リーダー装置により読み取られたA4縦向きの画像データは、画像処理部１３５を用いて左に90°回転を行う。その結果、画像データはA4横向きとなり、画像形成ユニットへ送られ、印字された記録紙はＣＺ折りユニットにおいてＣ折りモードとして処理が施され、出力される。また、排紙面指定によりフェースアップ排紙指定で出力する場合はＣ折りの内側（図20（b））、フェースダウン排紙指定で出力する場合はＣ折りの外側（図21（b））に印字が行われる。これらの設定の結果、内側に印字する場合のＣ折り出力は、図20（c, d, e）のように原稿の上部が記録紙の表面、中央が裏面、下部が中面の内側に横向きで印字され、三つ折りを開いたとき記録紙の表紙面に原稿の上部が印字されているように出力される。また、外側に印字する場合のＣ折り出力は、図21（c, d, e）のように原稿の上部が記録紙の表面、中央が裏面、下部が中面の外側に横向きで印字され、記録紙の表紙面に原稿の上部が印字されるように出力される。
【００８９】
＜A4横の原稿、A4横の記録紙に対するＣ折りについての説明＞
図22〜図25を用いて、A4横の原稿の、A4横の記録紙に対するＣ折り動作について説明する。Ｃ折りの指定方法については図6／図7を用いて説明したとおりである。
【００９０】
図22、図23は、従来の画像形成装置を用いて、A4横の原稿に対して、A4横の記録紙にＣ折り指定で出力した結果を表している。同図で示すように、従来の画像形成装置は基準点に合わせて原稿の画像データを記録紙へ印字を行う。このため、リーダー装置により読み取られたA4横向きの画像データは、そのままの向きで画像形成ユニットへ送られ、画像データと記録紙の右上を基準点として記録紙へ印字される。印字された記録紙は、ＣＺ折りユニットにおいてＣ折りモードとして処理が施され、出力される。この際、排紙面指定によりフェースアップ排紙指定で出力する場合はＣ折りの内側（図22（b））、フェースダウン排紙指定で出力する場合はＣ折りの外側（図23（b））に印字が行われる。これらの設定の結果、内側に印字する場合のＣ折り出力は、図22（c, d, e）のように原稿の左部が記録紙の表面、中央が裏面、右部が中面の内側に横向きで印字される。また、外側に印字する場合のＣ折り出力は、図23（c, d, e）のように原稿の右部が記録紙の表面、中央が裏面、左部が中面の外側に横向きで印字され、記録紙の表紙面に原稿の左部が印字されるように出力される。
【００９１】
一方、図24、図25は、自動レイアウトが可能な画像形成装置を用いてＣ折り指定で出力した結果を示している。同図が示すように、自動レイアウトをサポートしている場合、Ｃ折りの外側に印字を行う場合には、リーダー装置により読み取られたA4横向きの画像データは、画像処理部１３５を用いて180°回転を行う。Ｃ折りの内側に印字を行う場合には、回転は行われない。その結果、得られた画像データは画像形成ユニットへ送られ、印字された記録紙は、ＣＺ折りユニットにおいてＣ折りモードとして処理が施され、出力される。また、排紙面指定によりフェースアップ排紙指定で出力する場合はＣ折りの内側（図24（b））、フェースダウン排紙指定で出力する場合はＣ折りの外側（図25（b））に印字が行われる。これらの設定の結果、内側に印字する場合のＣ折り出力は、図24（c, d, e）のように原稿の左部が記録紙の表面、中央が裏面、右部が中面の内側に横向きで印字され、三つ折りを開いたとき記録紙の表紙面に原稿の左部が印字されているように出力される。また、外側に印字する場合のＣ折り出力は、図25（c, d, e）のように原稿の左部が記録紙の表面、中央が裏面、右部が中面の外側に横向きで印字され、記録紙の表紙面に原稿の左部が印字されるように出力される。
【００９２】
＜LTR縦の原稿、LTR横の記録紙に対するＣ折りについての説明＞
LTR縦の原稿がA4縦の原稿、LTR横の記録紙がA4横の記録紙に対応したときのA4縦の原稿、A4横の記録紙に対するＣ折り動作と同じである。
【００９３】
＜LTR横の原稿、LTR横の記録紙に対するＣ折りについての説明＞
LTR横の原稿がA4横の原稿、LTR横の記録紙がA4横の記録紙に対応したときのA4横の原稿、A4横の記録紙に対するＣ折り動作と同じである。
【００９４】
＜縦向き原稿、横向きの記録紙に対するＣ折りについての説明＞
図26, 27、図30, 31を用いて、縦向きの原稿をサイズの異なる横向きの記録紙へ出力する際のＣ折り動作について説明する。Ｃ折りの指定方法については図6／図7を用いて説明したとおりである。
【００９５】
図26、図27は、従来の画像形成装置を用い、縦向きの原稿に対して、横向きのサイズの異なる記録紙にＣ折り指定で出力した結果を表している。同図で示すように、従来の画像形成装置は基準点に合わせて原稿の画像データを記録紙へ印字を行う。このため、リーダー装置により読み取られた縦向きの画像データは、そのままの向きで画像形成ユニットへ送られ、画像データと記録紙の右上を基準点として記録紙へ印字される。印字された記録紙は、ＣＺ折りユニットにおいてＣ折りモードとして処理が施され、出力される。この際、排紙面指定によりフェースアップ排紙指定で出力することにより印字面はＣ折りの内側（図26（b））、フェースダウン排紙指定で出力することにより印字面はＣ折りの外側（図27（b））となる。これら設定の結果、内側に印字する場合のＣ折り出力は、図26（c, d, e）のように原稿の上部、中央、下部の順に記録紙の上部から下部に縦向きで印字される。原稿の右部、中央、左部は記録紙の中面、裏面、表面の順に記録紙の右部から左部に印字される。このとき、原稿サイズが記録紙サイズより大きい場合、原稿の一部は印字されず、原稿サイズが記録紙サイズよりも小さい場合、原稿画像はすべて印字されるが記録紙に印字の行われない領域が発生する。また、外側に印字した場合の出力は、図27（c, d, e）のように原稿の上部、中央、下部の順に記録紙の上部から下部に縦向きで印字され、原稿の右部、中央、左部は記録紙の表面、裏面、中面の順に記録紙の左部から右部に印字される。
【００９６】
一方、図30、図31は、自動レイアウトが可能な画像形成装置を用いてＣ折り指定で出力した結果を示している。同図が示しように、自動レイアウトをサポートしている場合には、リーダー装置により読み取られた縦向きの画像データは、画像処理部１３５を用いて左に90°回転を行う。その結果、画像データは横向き画像データとなり、画像形成ユニットへ送られ、印字された記録紙はＣＺ折りユニットにおいてＣ折りモードとして処理が施され、出力される。このとき、90°回転後の画像データは記録紙のサイズに適合するよう拡大・縮小処理が行われる。また、排紙面指定によりフェースアップ排紙指定で出力する場合はＣ折りの内側（図30（b））、フェースダウン排紙指定で出力する場合はＣ折りの外側（図31（b））に印字が行われる。これらの設定の結果、内側に印字する場合のＣ折り出力は、図30（c, d, e）のように原稿の上部が記録紙の表面、中央が裏面、下部が中面の内側に横向きで印字され、三つ折りを開いたとき記録紙の表紙面に原稿の上部が印字されているように出力される。また、外側に印字する場合のＣ折り出力は、図31（c, d, e）のように原稿の上部が記録紙の表面、中央が裏面、下部が中面の外側に横向きで印字され、記録紙の表紙面に原稿の上部が印字されるように出力される。
【００９７】
＜横向き原稿、横向きの記録紙に対するＣ折りについての説明＞
図28, 29、図32, 33を用いて、横向きの原稿をサイズの異なる横向きの記録紙へ出力する際のＣ折り動作について説明する。Ｃ折りの指定方法については図6／図7を用いて説明したとおりである。
【００９８】
図28、図29は、従来の画像形成装置を用い、横向きの原稿に対して、横向きのサイズの異なる記録紙にＣ折り指定で出力した結果を表している。同図で示すように、従来の画像形成装置は基準点に合わせて原稿の画像データを記録紙へ印字を行う。このため、リーダー装置により読み取られた横向きの画像データは、そのままの向きで画像形成ユニットへ送られ、画像データと記録紙の右上を基準点として記録紙へ印字される。印字された記録紙は、ＣＺ折りユニットにおいてＣ折りモードとして処理が施され、出力される。この際、排紙面指定によりフェースアップ排紙指定で出力することにより印字面はＣ折りの内側（図28（b））、フェースダウン排紙指定で出力することにより印字面はＣ折りの外側（図29（b））となる。これら設定の結果、内側に印字する場合のＣ折り出力は、図28（c, d, e）のように原稿の左部、中央、右部が順に、記録紙の中面、裏面、表面の順に右部から左部に横向きで印字される。このとき、原稿サイズが記録紙サイズより大きい場合、原稿の一部は印字されず、原稿サイズが記録紙サイズよりも小さい場合、原稿画像はすべて印字されるが記録紙に印字の行われない領域が発生する。また、外側に印字した場合の出力は、図29（c, d, e）のように原稿の右部、中央、左部が順に、記録紙の表面、裏面、中面の順に左部から右部に横向きで印字される。
【００９９】
一方、図32、図33は、自動レイアウトが可能な画像形成装置を用いてＣ折り指定で出力した結果を示している。同図が示すように、自動レイアウトをサポートしている場合、Ｃ折りの外側に印字を行う場合には、リーダー装置により読み取られた横向きの画像データは、画像処理部１３５を用いて180°回転を行う。Ｃ折りの内側に印字を行う場合には、回転は行われない。その結果、得られた画像データは画像形成ユニットへ送られ、印字された記録紙は、ＣＺ折りユニットにおいてＣ折りモードとして処理が施され、出力される。このとき、0°回転後、180°回転後の画像データは記録紙のサイズに適合するよう拡大・縮小処理が行われる。また、排紙面指定によりフェースアップ排紙指定で出力する場合はＣ折りの内側（図32（b））、フェースダウン排紙指定で出力する場合はＣ折りの外側（図33（b））に印字が行われる。これらの設定の結果、内側に印字する場合のＣ折り出力は、図32（c, d, e）のように原稿の左部が記録紙の表面、中央が裏面、右部が中面の内側に横向きで印字され、三つ折りを開いたとき記録紙の表紙面に原稿の左部が印字されているように出力される。また、外側に印字する場合のＣ折り出力は、図33（c, d, e）のように原稿の左部が記録紙の表面、中央が裏面、右部が中面の外側に横向きで印字され、記録紙の表紙面に原稿の左部が印字されるように出力される。
【０１００】
＜Ｃ折り制御方法についての説明＞
図34を使用して、Ｃ折りの制御方法について説明する。
【０１０１】
まず、S3401においてＣ折りでの出力を指定する。ここで行う設定、およびこれ以降の設定は、図4に示したタッチパネル部（401）および、キー入力部（402）を操作することにより行う。Ｃ折りの指定方法については図6／図7を用いて説明したとおりである。Ｃ折りが指定されると、記録紙にA4横もしくはLTR横の用紙がセットされているかチェックが行われる（S3402）。Ｃ折りは、この二つの用紙に対してのみ実行可能であるので、どちらの用紙も存在しない場合は、S3437へと遷移し、Ｃ折りでの出力が不可能であることを通知する画面をタッチパネル部（401）に表示する。A4横、LTR横いずれかの記録紙が存在し、Ｃ折り可能である場合、S3403へと遷移し、記録紙の指定を行う。ユーザによる設定、または、デフォルトの設定により、A4横とLTR横のいずれかの用紙を記録紙として用いることが設定される。
【０１０２】
次にS3404で原稿の向きが縦向きであるか、もしくは、横向きであるかを判断する。ユーザによりセットされた原稿を判断し、自動で原稿の向きを設定する。原稿が横向きであればS3405へ、原稿が縦向きであればS3421へ遷移する。原稿が横向きであれば記録紙と向きが一致しており、原稿が縦向きであれば記録紙と向きが90°ことなることになる。また、セットされた原稿から、そのサイズを自動で判別する。判別したサイズより、原稿サイズと記録紙サイズが一致しているか判断する（S3405）。一致していると判断すればS3406へ、一致していないと判断すればS3413へ遷移する。原稿サイズと記録紙サイズが一致している場合、原稿画像データの拡大・縮小は不要なため、倍率は等倍（100%）に設定される。
【０１０３】
S3406では、印刷面の指定を行う。印刷面の指定はタッチパネル部により、フェースアップ排紙（S3407）、もしくはフェースダウン排紙（S3410）として行う。フェースアップ排紙設定ではＣ折り内側に印字、フェースダウン排紙設定ではＣ折り外側に印字が行われる。
【０１０４】
フェースアップ排紙が設定された場合、S3408へと遷移し、原稿画像データの回転角度が設定される。これまでの設定から、原稿と記録紙の向きが一致しており、また、Ｃ折り内側に印字を行うため、画像データの回転は不要であり、回転角度は0°に設定される。以上より、原稿横向き、原稿サイズと記録紙サイズが一致、フェースアップ排紙設定、の条件のとき、Ｃ折りの出力は、印刷面はＣ折りの内側であり、Ｃ折り表紙裏面の印字面には横向き原稿の左部が印字され、その倍率は等倍となる出力が行われる（S3409）。
【０１０５】
S3406において、フェースダウン排紙が設定された場合、画像データの回転を行わず出力を行った場合、原稿の右部がＣ折り表面に、原稿の左部がＣ折り中面に印字される。このため、Ｃ折り表紙表面に横向き原稿の左部が印字されるようにするため、画像データの回転角度は180°に設定される（S3411）。以上より、原稿横向き、原稿サイズと記録紙サイズが一致、フェースダウン排紙設定、の条件のとき、Ｃ折りの出力は、印刷面はＣ折りの外側であり、Ｃ折り表紙表面の印字面には横向き原稿の左部が印字され、その倍率は等倍となる出力が行われる（S3412）。
【０１０６】
S3405において、原稿サイズと記録紙サイズが一致していないと判断された場合、S3413において、原稿画像が設定されている記録紙に収まるよう、拡大縮小を行うため、これに最適な倍率を設定する。次にS3414に遷移し、印刷面の指定を行う。これ以降の処理は、S3406からの処理と同等であり、Ｃ折り出力の設定として、倍率が前述のように設定され、この倍率で拡大・縮小された出力が行われる点のみが異なる処理である。
【０１０７】
次に、S3404において、原稿向きが縦向きと判断された場合の処理を説明する。原稿が縦向きの場合は、横向きの記録紙に合わせて原稿画像データの回転処理が必要となる。
【０１０８】
まず、S3421において、原稿のサイズと記録紙のサイズを比較する。一致していると判断すればS3423へ、一致していないと判断すればS3426へ遷移する。原稿サイズと記録紙サイズが一致している場合、原稿画像データの拡大・縮小は不要なため、倍率は等倍（100%）に設定される。
【０１０９】
S3423では、印刷面の指定を行う。印刷面の指定はタッチパネル部により、フェースアップ排紙（S3424）、もしくはフェースダウン排紙（S3426）として行う。フェースアップ排紙設定ではＣ折り内側に印字、フェースダウン排紙設定ではＣ折り外側に印字が行われる。
【０１１０】
フェースアップ排紙が設定された場合、S3424へと遷移し、原稿画像データの回転角度が設定される。これまでの設定から、原稿と記録紙の向きが縦向きと横向きで異なり、また、印字面はＣ折り内側である。よって、Ｃ折り表紙裏面に縦向き原稿の上部が印字されるようにするため、画像データの回転角度は90°に設定される。以上より、原稿縦向き、原稿サイズと記録紙サイズが一致、フェースアップ排紙設定、の条件のとき、Ｃ折りの出力は、印刷面はＣ折りの内側であり、Ｃ折り表紙裏面の印字面には縦向き原稿の上部が印字され、その倍率は等倍となる出力が行われる（S3425）。
【０１１１】
S3422において、フェースダウン排紙が設定された場合においても、S3426において、原稿画像データの回転角度が設定される。これまでの設定から、原稿と記録紙の向きが縦向きと横向きで異なり、また、印字面はＣ折り外側である。よって、Ｃ折り表紙表面に縦向き原稿の上部が印字されるようにするため、画像データの回転角度は90°に設定される。以上より、原稿縦向き、原稿サイズと記録紙サイズが一致、フェースダウン排紙設定、の条件のとき、Ｃ折りの出力は、印刷面はＣ折りの外側であり、Ｃ折り表紙表面の印字面には縦向き原稿の上部が印字され、その倍率は等倍となる出力が行われる（S3428）。
【０１１２】
S3421において、原稿サイズと記録紙サイズが一致していないと判断された場合、S3429において、原稿画像が設定されている記録紙に収まるよう、拡大縮小を行うため、これに最適な倍率を設定する。次にS3430に遷移し、印刷面の指定を行う。これ以降の処理は、S3422からの処理と同等であり、Ｃ折り出力の設定として、倍率が前述のように設定され、この倍率で拡大・縮小された出力が行われる点のみが異なる処理である。
【０１１３】
以上説明した図34のフローチャートを用いて、図18〜図33のＣ折りについての対応を述べる。
・図20について
A4縦原稿、内側印字に対するＣ折りは、S3425に対応する。
・図21について
A4縦原稿、外側印字に対するＣ折りは、S3428に対応する。
・図24について
A4横原稿、内側印字に対するＣ折りは、S3409に対応する。
・図25について
A4横原稿、外側印字に対するＣ折りは、S3412に対応する。
・図30について
任意のサイズの縦原稿、内側印字に対するＣ折りは、S3433に対応する。
・図31について
任意のサイズの縦原稿、外側印字に対するＣ折りは、S3436に対応する。
・図32について
任意のサイズの横原稿、内側印字に対するＣ折りは、S3417に対応する。
・図33について
任意のサイズの横原稿、外側印字に対するＣ折りは、S3420に対応する。
【図面の簡単な説明】
【０１１４】
【図１】本実施例に係わる画像入出力システムの全体構成の説明図である。
【図２】図１の画像形成装置のリーダ部２００およびプリンタ部３００のハードウエア構成を模式的に示す図である。
【図３】図１の画像形成装置における制御装置１１０の構成を示すブロック図である。
【図４】図１の画像形成装置における操作部１５０の１例を説明するための図である。
【図５】図４の操作部１５０におけるキー入力部４０２を説明するための図である。
【図６】図４の操作部１５０におけるタッチパネル部４０１の表示制御例を説明するための図である。
【図７】図４の操作部１５０におけるタッチパネル部４０１の表示制御例を説明するための図である。
【図８】ＣＺ折りユニット８００におけるＣ折りの制御例を説明するための図である。
【図９】ＣＺ折りユニット８００におけるＣ折りの制御例を説明するための図である。
【図１０】ＣＺ折りユニット８００におけるＺ折りの制御例を説明するための図である。
【図１１】ＣＺ折りユニット８００におけるＺ折りの制御例を説明するための図である。
【図１２】Ｃ折りを説明するための図である。
【図１３】Ｚ折りを説明するための図である。
【図１４】用紙向きを説明するための図である。
【図１５】原稿レイアウトを説明するための図である。
【図１６】印刷面を説明するための図である。
【図１７】折り面を説明するための図である。
【図１８】A4縦サイズの原稿、A4横サイズの記録紙に対する従来手法によるＣ折りについて、説明するための図である。
【図１９】A4縦サイズの原稿、A4横サイズの記録紙に対する従来手法によるＣ折りについて、説明するための図である。
【図２０】A4縦サイズの原稿、A4横サイズの記録紙に対するＣ折りについて、説明するための図である。
【図２１】A4縦サイズの原稿、A4横サイズの記録紙に対するＣ折りについて、説明するための図である。
【図２２】A4横サイズの原稿、A4横サイズの記録紙に対する従来手法によるＣ折りについて、説明するための図である。
【図２３】A4横サイズの原稿、A4横サイズの記録紙に対する従来手法によるＣ折りについて、説明するための図である。
【図２４】A4横サイズの原稿、A4横サイズの記録紙に対するＣ折りについて、説明するための図である。
【図２５】A4横サイズの原稿、A4横サイズの記録紙に対するＣ折りについて、説明するための図である。
【図２６】任意のサイズの縦向き原稿、横サイズの記録紙に対する従来手法によるＣ折りについて、説明するための図である。
【図２７】任意のサイズの縦向き原稿、横サイズの記録紙に対する従来手法によるＣ折りについて、説明するための図である。
【図２８】任意のサイズの横向き原稿、横サイズの記録紙に対する従来手法によるＣ折りについて、説明するための図である。
【図２９】任意のサイズの横向き原稿、横サイズの記録紙に対する従来手法によるＣ折りについて、説明するための図である。
【図３０】任意のサイズの縦向き原稿、横サイズの記録紙に対するＣ折りについて、説明するための図である。
【図３１】任意のサイズの縦向き原稿、横サイズの記録紙に対するＣ折りについて、説明するための図である。
【図３２】任意のサイズの横向き原稿、横サイズの記録紙に対するＣ折りについて、説明するための図である。
【図３３】任意のサイズの横向き原稿、横サイズの記録紙に対するＣ折りについて、説明するための図である。
【図３４】Ｃ折り制御方法を説明するためのフローチャートである。
【図１】
2008193330.tif 000003
【図２】
2008193330.tif 000004
【図３】
2008193330.tif 000005
【図４】
2008193330.tif 000006
【図５】
2008193330.tif 000007
【図６】
2008193330.tif 000008
【図７】
2008193330.tif 000009
【図８】
2008193330.tif 000010
【図９】
2008193330.tif 000011
【図１０】
2008193330.tif 000012
【図１１】
2008193330.tif 000013
【図１２】
2008193330.tif 000014
【図１３】
2008193330.tif 000015
【図１４】
2008193330.tif 000016
【図１５】
2008193330.tif 000017
【図１６】
2008193330.tif 000018
【図１７】
2008193330.tif 000019
【図１８】
2008193330.tif 000020
【図１９】
2008193330.tif 000021
【図２０】
2008193330.tif 000022
【図２１】
2008193330.tif 000023
【図２２】
2008193330.tif 000024
【図２３】
2008193330.tif 000025
【図２４】
2008193330.tif 000026
【図２５】
2008193330.tif 000027
【図２６】
2008193330.tif 000028
【図２７】
2008193330.tif 000029
【図２８】
2008193330.tif 000030
【図２９】
2008193330.tif 000031
【図３０】
2008193330.tif 000032
【図３１】
2008193330.tif 000033
【図３２】
2008193330.tif 000034
【図３３】
2008193330.tif 000035
【図３４】
2008193330.tif 000036